【事件の表示】
　特願２００５−１４９９６５「ゲーム機の異常検知装置」拒絶査定不服審判事件〔平成１８年１２月　７日出願公開、特開２００６−３２５６７６〕について、次のとおり審決する。
【結　論】
　本件審判の請求は、成り立たない。
【理　由】
１．手続の経緯
　本願は、
　平成１７年５月２３日に特許出願されたものであって、
　平成２０年５月１６日付けで手続補正がされ、
　平成２２年１２月６日付けで拒絶理由が通知され、これに応答して平成２３年２月２日付けで手続補正がされ、
　同年２月２５日付けで拒絶理由が通知され、これに応答して同年４月２５日付けで手続補正がされたが、
　同年６月１３日付けで、上記同年４月２５日付け手続補正を却下するとともに、同日付けで拒絶査定がされたため、
　これを不服として同年９月１日付けで拒絶査定不服審判が請求されるとともに、同日付けで手続補正がされ、
　前記同年９月１日付け手続補正に方式上の不備があったため、同年９月８日付けで手続補正が指令され、これに応答して同年９月９日付けで手続補正書（方式）が提出されたものである。
　また、当審において、平成２３年１２月６日付けで審査官による前置報告書の内容を添付して審尋を行い、平成２４年２月６日付けで回答書が提出されている。
　
　以下、平成２３年９月９日付け手続補正書（方式）により補正された同年９月１日付けの手続補正を、単に「平成２３年９月１日付けの手続補正」という。
　
　
２．平成２３年９月１日付けの手続補正についての補正却下の決定
　
［補正却下の決定の結論］
　平成２３年９月１日付けの手続補正を却下する。
　
［理由］
(1) 本件補正発明
　平成２３年９月１日付け手続補正により、特許請求の範囲が、
「　　【請求項１】
　メダル（M）の転動通路（210）に沿って形成した直径選別部（206）の下流に配置した複数のセンサ(220、100、102)からの信号に基づいて前記メダル(M)の通過を検知すると共に前記センサ(220、100、102)の上流にキャンセル装置(220)を配置したメダルセレクタ（200）であって、
前記キャンセル装置(220)の下流に前記メダル(M)の一部に相対する金属センサ（222）を配置し、前記金属センサ（222）の直ぐ下流に前記メダル(M)の一部に相対すると共に前記転動通路(210)に対して上流側に配置された第1光電センサ(100)と下流側に配置された第2光電センサ(102)を配置し、前記金属センサ（222）、前記第1光電センサ（100）、及び前記第2光電センサ(102）の出力に基づいて異常を検知するゲーム機において、
前記金属センサ(222)は前記転動通路(210)を転動するメダル(M)の下端部に相対して配置され、前記第1光電センサ(100)及び前記第2光電センサ(102)は前記メダル(M)の上端部に相対して配置され、
前記セレクタ（200）による前記メダル(M)の計数モード時に前記金属センサ（222）からの検知信号(MS)が連続している間に前記第1光電センサ(100)の出力(PE1)に続いて前記第2光電センサ(102)の出力(PE2)が出力された場合にメダルの計数信号(CS)を出力し、前記金属センサ（222）からの検知信号(MS)がないときは前記第1光電センサ(100)からの出力(PE2)及び前記第2光電センサ(102)からの出力(PE1)を前記計数信号(CS)としないメダル信号出力装置(108)を有することを特徴とするゲーム機の異常検知装置。
　　【請求項２】
請求項１のゲーム機の異常検知装置において、
さらに、ゲーム機の状態を表すゲーム機状態信号(SS)を受け、前記メダルセレクタ（200）の前記金属センサ（222）と前記ゲーム機状態信号(SS)に基づいてゲーム機の異常を検知することを特徴とする。
　　【請求項３】
請求項１又は2に記載のゲーム機の異常検知装置において、
前記メダル信号出力装置(108)は、前記第1光電センサ(100)と前記第2光電センサ(102)との出力時間間隔を正常時と異常時との判別要素にすることを特徴とする。」
　から
「　　【請求項１】
　メダル（M）の転動通路（210）に沿って形成した直径選別部（206）の下流に配置した複数のセンサ(220、100、102)からの信号に基づいて前記メダル(M)の通過を検知すると共に前記センサ(220、100、102)の上流にキャンセル装置(220)を配置したメダルセレクタ（200）であって、
前記キャンセル装置(220)の下流に前記メダル(M)の一部に相対する金属センサ（222）を配置し、前記金属センサ（222）の直ぐ下流に前記メダル(M)の一部に相対すると共に前記転動通路(210)に対して上流側に配置された第1光電センサ(100)と下流側に隣接配置された第2光電センサ(102)を配置し、
前記金属センサ（222）、前記第1光電センサ（100）、及び前記第2光電センサ(102）の出力に基づいて異常を検知するゲーム機において、
前記金属センサ(222)は前記転動通路(210)を転動するメダル(M)の中心よりも下端部に相対して配置され、
前記第1光電センサ(100)及び前記第2光電センサ(102)は、角柱状であってほぼ水平に配置した横梁部（232）、前記横梁部（232）から下方に向かって所定の間隔で平行に突出する柱状の投光部保持部(234)及び受光部保持部（236）により構成され、前記投光部保持部（234）及び前記受光部保持部（236）は前記転動通路（210）を挟んで対向配置されると共に前記メダル(M)の中心よりも上端部に相対して配置され、
前記メダルセレクタ（200）による前記メダル(M)の計数モード時に前記金属センサ（222）からの検知信号(MS)が連続している間に前記第1光電センサ(100)の出力(PE1)に続いて前記第2光電センサ(102)の出力(PE2)が出力された場合にメダルの計数信号(CS)を出力し、前記金属センサ（222）からの検知信号(MS)が連続している間に、前記第1光電センサ(100)からの出力(PE2)に次いで前記第2光電センサ(102)からの出力(PE1)の出力順以外を異常メダル検知として前記計数信号(CS)を出力しないメダル信号出力装置(108)を有することを特徴とするゲーム機の異常検知装置。
　　【請求項２】
請求項１のゲーム機の異常検知装置において、
さらに、ゲーム機の状態を表すゲーム機状態信号(SS)を受け、前記メダルセレクタ（200）の前記金属センサ（222）と前記ゲーム機状態信号(SS)に基づいてゲーム機の異常を検知することを特徴とする。
　　【請求項３】
請求項１又は2に記載のゲーム機の異常検知装置において、
前記メダル信号出力装置(108)は、前記第1光電センサ(100)と前記第2光電センサ(102)との出力時間間隔を正常時と異常時との判別要素にすることを特徴とする。」
　に補正された。（以下、この補正を「本件補正」という。）
　
(2) 補正の目的
　本件補正は、補正前の請求項１における以下の点を補正した。
・補正前の「下流側に配置された第2光電センサ(102)」について、「配置」を「隣接配置」に補正した。（以下「補正事項１」という。）
　
・補正前の、各センサが配置される「メダル(M)の下端部」及び「前記メダル(M)の上端部」を、「メダル(M)の中心よりも下端部」及び「前記メダル(M)の中心よりも上端部」に補正した。（以下「補正事項２」という。）
　
・補正前の「前記第1光電センサ(100)及び前記第2光電センサ(102)」を、「角柱状であってほぼ水平に配置した横梁部（232）、前記横梁部（232）から下方に向かって所定の間隔で平行に突出する柱状の投光部保持部(234)及び受光部保持部（236）により構成され、前記投光部保持部（234）及び前記受光部保持部（236）は前記転動通路（210）を挟んで対向配置される」ものに補正した。（以下「補正事項３」という。）
　
・補正前の「前記セレクタ（200）」を「前記メダルセレクタ（200）」に補正した。（以下「補正事項４」という。）
　
・補正前の「前記金属センサ（222）からの検知信号(MS)がないときは前記第1光電センサ(100)からの出力(PE2)及び前記第2光電センサ(102)からの出力(PE1)を前記計数信号(CS)としない」を、「前記金属センサ（222）からの検知信号(MS)が連続している間に、前記第1光電センサ(100)からの出力(PE2)に次いで前記第2光電センサ(102)からの出力(PE1)の出力順以外を異常メダル検知として前記計数信号(CS)を出力しない」に補正した。（以下「補正事項５」という。）
　
補正事項１について
「第2光電センサ(102)」の配置を限定したものである。
　
補正事項２について
　各センサの配置を限定したものである。
　
補正事項３について
「前記第1光電センサ(100)及び前記第2光電センサ(102)」の構成を限定したものである。
　
補正事項４について
　誤記の訂正である。
　
補正事項５について
「メダル信号出力装置(108)」において「計数信号(CS)」を出力しない条件を限定したものである。
　
　以上により、本件補正、平成１８年法律第５５号改正附則第３条第１項によりなお従前の例によるとされる同法による改正前の特許法（以下「改正前特許法」という。）第１７条の２第４項第２〜３号の特許請求の範囲の減縮及び誤記の訂正を目的とするものに該当する。
　そこで、本件補正後の請求項１に記載された発明（以下、「本件補正発明」という。)が、特許出願の際独立して特許を受けることができるものであるか否か(改正前特許法第１７条の２第５項において準用する同法第１２６条第５項の規定に適合するか）について、以下検討する。
　
　
(3) 特許性についての検討
(3-1) 本件補正発明の認定
　本件補正発明において、以下の点が明確でないので、発明の詳細な説明の記載等を参酌した上で、次のように認める。（下線は当審で付加。以下同じ。）
・平成２０年５月１６日付け手続補正書の記載等によれば、「複数のセンサ(22
0
2
・「第1光電センサ(100)からの出力(PE
2
1
1
2
・請求項１において「・・・メダルセレクタ（200）であって、・・・ゲーム機において、・・・ゲーム機の異常検知装置。」と記載されており、本件補正発明が、「メダルセレクタ（200）」、「ゲーム機」又は「ゲーム機の異常検知装置」のいずれであるか明確でないので、平成２４年２月６日付け回答書２アの記載等を参酌した上で、「メダルセレクタ（200）」を有する「ゲーム機の異常検知装置」である、と認める。
　
　さらに、符号を囲む括弧に半角のものと全角のものが混在しているので、全角の括弧に統一する。
　
　よって、本件補正発明を次のものと認める。
「メダル（M）の転動通路（210）に沿って形成した直径選別部（206）の下流に配置した複数のセンサ（22
2
2
を有し
　前記キャンセル装置（220）の下流に前記メダル（M）の一部に相対する金属センサ（222）を配置し、前記金属センサ（222）の直ぐ下流に前記メダル（M）の一部に相対すると共に前記転動通路（210）に対して上流側に配置された第1光電センサ（100）と下流側に隣接配置された第2光電センサ（102）を配置し、
　前記金属センサ（222）、前記第1光電センサ（100）、及び前記第2光電センサ（102）の出力に基づいて異常を検知するゲーム機
の異常検知装置
　前記金属センサ（222）は前記転動通路（210）を転動するメダル（M）の中心よりも下端部に相対して配置され、
　前記第1光電センサ（100）及び前記第2光電センサ（102）は、角柱状であってほぼ水平に配置した横梁部（232）、前記横梁部（232）から下方に向かって所定の間隔で平行に突出する柱状の投光部保持部（234）及び受光部保持部（236）により構成され、前記投光部保持部（234）及び前記受光部保持部（236）は前記転動通路（210）を挟んで対向配置されると共に前記メダル（M）の中心よりも上端部に相対して配置され、
　前記メダルセレクタ（200）による前記メダル（M）の計数モード時に前記金属センサ（222）からの検知信号（MS）が連続している間に前記第1光電センサ（100）の出力（PE1）に続いて前記第2光電センサ（102）の出力（PE2）が出力された場合にメダルの計数信号（CS）を出力し、前記金属センサ（222）からの検知信号（MS）が連続している間に、前記第1光電センサ（100）からの出力（PE
1
2
　
(3-2) 引用文献に記載された事項
　特許第３６４９７２８号公報（以下「引用文献１」という。）には、図面とともに、以下の事項が記載されている。
　
(ア)「【０００１】
　この発明は、スロットマシン等の遊技機や自動販売機に設けられ、メダル投入口に投入された物体のうち正規のメダルのみを受け入れるように選別するメダル選別装置に関する。」
　
(イ)「【実施例１】
【００１３】
　図１は本発明が適用されたメダル選別装置の一部を省略して表した正面図である。このメダル選別装置１は、メインプレート２とその前側に適当間隔を開けて設けたサブプレート（図示せず）との間に、メダル投入口４に続くメダル通路５が形成されている。メダル通路５の底部にあるメダル案内用のレールは、前半部の第一レール６と後半部の第二レール７とからなり、第一レール６はメインプレート２と一体に設けられ、第二レール７は図１には図示されていない作動コイル１２（図２に図示）により前後方向に移動可能に設けられている。
【００１４】
　通常時は、第一レール６の延長上に第二レール７があり、メダルＭが両レール６，７に案内されてメダル通路５を移動する。また、ゲーム中、ゲーム精算中、打ち止め時等には、作動コイル１２に通電出力することにより第二レール７が後方に移動し、メダル投入口４から投入されたメダルＭが第二レール７から外れ落ち、メダル受け皿に返却されるようになる。
【００１５】
　第一レール６の上方には、正規のメダルＭよりも大きいメダルの通過を規制するガイドスペーサ８が設けられている。第一レール６とガイドスペーサ８との間でメダルＭが詰った場合は、手動の返却ボタンを操作することによりキャンセル用プレート９が詰ったメダルＭを押し出し、該メダルが第一レール６から外れ落ちるようになっている。また、正規のメダルよりも小さいメダルは自重で後方に倒れ、第一レール６から外れ落ちる。第一レール６から外れ落ちたメダルは、メダル受け皿に返却される。
【００１６】
　第二レール７の上方には、近接位置にある金属物体を検出する近接センサ１０と、メダル等の物体の通過を検出するメダル通過センサ１１とがメダルの移動方向に沿って順に設けられている。メダル通過センサ１１は、メダルの移動方向に所定の間隔をあけて配置された２組の光センサ１１ａ，１１ｂを組み合わせてなる。これら光センサ１１ａ，１１ｂは、光透過型センサ及び光反射型センサのいずれでもよい。
【００１７】
　図２はメダル選別制御系のブロック図である。各センサ１０，１１ａ，１１ｂ、前記作動コイル１２、及びカウンタ１３がメダル選別基板１４に接続されている。カウンタ１３は、下流側の光センサ１１ｂが物体を検出した数をカウントするともに、近接センサ１０が物体を検出するたびにカウント数が「０」にリセットされるようになっている。また、
メダル選別基板１４はスロットマシン本体の主基板１５に接続され、該主基板の出力側にクレジット表示部１６、エラー表示部１７等が接続されている。以下、各センサの状態とカウンタのカウント数の変化を示すタイムチャートに基づき、メダル選別制御について説明する。
【００１８】
　図３は正規のメダルが適正な方法で投入口４に投入された場合のタイムチャートである。メダルがメダル通路５を移動するのにともない、近接センサ１０、光センサ１１ａ、光センサ１１ｂが順にＯＮになる。近接センサ１０がＯＮになるとカウント数が「０」にリセットされ、光センサ１１ｂがＯＮになるとカウント数が「１」になる。複数枚のメダルが続けて投入されているときに何らかの事情でメダルの移動速度が遅くなった場合には、後続のメダルによって近接センサ１０がＯＮになる前に、先行の２枚のメダルによって光センサ１１ｂが続けてＯＮになることにより、カウント数が「２」になることがあるが、通常、カウント数は「０」と「１」とに交互になる。光センサ１１ａ，１１ｂが順にＯＮになったなら、メダルが通過したとみなし、メダルのクレジット表示部１６のクレジット数を（＋１）加算するとともに、クレジット表示部１６の表示を変更するように出力する。
【００１９】
　図４はセルロイド板の先端に２個の赤外線ＬＥＤを取り付けた器具を使用して不正行為を行う場合のタイムチャートである。２個の赤外線ＬＥＤを光センサ１１ａ，１１ｂに対応して位置させ、両赤外線ＬＥＤを所定のタイミングで点滅させることにより、光センサ１１ａ，１１ｂが交互にＯＮになる。しかしながら、近接センサ１０はＯＮにならないので、カウント数が加算されてゆく。このメダル選別制御では、カウント数が「３」になった場合は異常であると判定し、以後、光センサ１１ｂからの信号が入力されないようになる。したがって、いくら赤外線ＬＥＤの点滅を繰り返しても、メダルクレジット数が上がらない。異常であると判定されると、作動コイル１２に出力して、投入口４に投入したメダルがメダル受け皿に返却されるようにするとともに、エラー表示部１７に出力してエラー表示する。
【００２０】
　このメダル選別装置において、敢えて不正を行おうとするならば、赤外線ＬＥＤの点滅に同期させて、擬似メダルとしての金属片を近接センサ１０の前後で移動させることが考えられるが、赤外線ＬＥＤの操作と金属片の操作を同時に行うのはほとんど不可能であるから、実質上、不正行為を完全に防止できると言える。」
　
(ウ) 図１、３の記載から、光センサ１１ａ，１１ｂは、隣接配置されていると認める。
　
　以上、(ア)〜(ウ)、及び図面を総合すると、引用文献１には、以下の発明が記載されている。
「スロットマシン等の遊技機や自動販売機に設けられ、メダル投入口に投入された物体のうち正規のメダルＭのみを受け入れるように選別するメダル選別装置であって、
　メインプレート２とその前側に適当間隔を開けて設けたサブプレート（図示せず）との間に、メダル投入口４に続くメダル通路５が形成され、
　メダル通路５の底部にあるメダル案内用のレールは、前半部の第一レール６と後半部の第二レール７とからなり、
　ゲーム中、ゲーム精算中、打ち止め時等には、作動コイル１２に通電出力することにより第二レール７が後方に移動し、メダル投入口４から投入されたメダルＭが第二レール７から外れ落ち、メダル受け皿に返却されるようになり、
　第一レール６の上方には、正規のメダルＭよりも大きいメダルの通過を規制するガイドスペーサ８が設けられ、
　第一レール６とガイドスペーサ８との間でメダルＭが詰った場合は、手動の返却ボタンを操作することによりキャンセル用プレート９が詰ったメダルＭを押し出し、該メダルＭが第一レール６から外れ落ちるようになっており、
　正規のメダルＭよりも小さいメダルは自重で後方に倒れ、第一レール６から外れ落ち、メダル受け皿に返却され、
　第二レール７の上方には、近接位置にある金属物体を検出する近接センサ１０と、メダルＭ等の物体の通過を検出するメダル通過センサ１１とがメダルＭの移動方向に沿って順に設けられ、メダル通過センサ１１は、メダルＭの移動方向に所定の間隔をあけて隣接配置された２組の光センサ１１ａ，１１ｂを組み合わせてなり、これら光センサ１１ａ，１１ｂは、光透過型センサ及び光反射型センサのいずれでもよく、
　各センサ１０，１１ａ，１１ｂ及びカウンタ１３がメダル選別基板１４に接続し、
　メダルＭがメダル通路５を移動するのにともない、近接センサ１０、光センサ１１ａ、光センサ１１ｂが順にＯＮになるとき、近接センサ１０がＯＮになるとカウント数が「０」にリセットされ、光センサ１１ｂがＯＮになるとカウント数が「１」になり、光センサ１１ａ，１１ｂが順にＯＮになったなら、メダルＭが通過したとみなし、メダルＭのクレジット表示部１６のクレジット数を（＋１）加算するとともに、クレジット表示部１６の表示を変更するように出力し、
　光センサ１１ａ，１１ｂが交互にＯＮになるが近接センサ１０はＯＮにならない場合は異常であると判定し、以後、メダルクレジット数が上がらない、
　メダル選別装置。」
（以下、この発明を「引用発明」という。）
　
(3-3) 対比
　引用発明と本件補正発明とを対比する。
　引用発明における「メダル通路５」は本件補正発明における「転動通路（210）」に相当し、以下同様に、
「ガイドスペーサ８」及び「正規のメダルＭよりも小さいメダル」が「外れ落ち」る部分は、「直径選別部（206）」に、
「キャンセル用プレート９」は「キャンセル装置（220）」に、
「近接位置にある金属物体を検出する近接センサ１０」及び「光センサ１１ａ，１１ｂ」は「複数のセンサ（222、100、102）」に、
「近接位置にある金属物体を検出する近接センサ１０」は「金属センサ（222）」に、
「光センサ１１ａ，１１ｂ」は「第1光電センサ（100）」及び「第2光電センサ（102）」に、
「近接位置にある金属物体を検出する近接センサ１０と、メダルＭ等の物体の通過を検出するメダル通過センサ１１とがメダルＭの移動方向に沿って順に設けられ、メダル通過センサ１１は、メダルＭの移動方向に所定の間隔をあけて隣接配置された２組の光センサ１１ａ，１１ｂを組み合わせて」いることは、「金属センサ（222）」の下流に「前記メダル（M）の一部に相対すると共に前記転動通路（210）に対して上流側に配置された第1光電センサ（100）と下流側に隣接配置された第2光電センサ（102）を配置し」ていることに、
「光センサ１１ａ，１１ｂが交互にＯＮになるが近接センサ１０はＯＮにならない場合は異常であると判定」することは「前記金属センサ（222）、前記第1光電センサ（100）、及び前記第2光電センサ（102）の出力に基づいて異常を検知する」に、相当する。
　また、このため、引用発明が、本件補正発明における「メダルセレクタ（200）」に相当する構成を実質的に具備することは、自明である。
　
　引用発明における「スロットマシン等の遊技機」は、本件補正発明における「ゲーム機」に相当する。
　
　引用文献における「メダル投入口４から投入されたメダルＭが第二レール７から外れ落ち、メダル受け皿に返却される」「ゲーム中、ゲーム精算中、打ち止め時等」以外の時は、本件補正発明における「前記メダルセレクタ（200）による前記メダル（M）の計数モード時」に相当する。
　引用発明において「光センサ１１ａ，１１ｂが順にＯＮになったなら、メダルＭが通過したとみなし、メダルＭのクレジット表示部１６のクレジット数を（＋１）加算するとともに、クレジット表示部１６の表示を変更するように出力」する点は、本件補正発明における「前記第1光電センサ（100）の出力（PE1）に続いて前記第2光電センサ（102）の出力（PE2）が出力された場合にメダルの計数信号（CS）を出力」する点に相当する。
　引用発明において、「光センサ１１ａ，１１ｂが順にＯＮに」ならない場合に「クレジット表示部１６の表示を変更するように出力」しないことは自明であり、このことは、本件補正発明における「前記第1光電センサ（100）からの出力（PE1）に次いで前記第2光電センサ（102）からの出力（PE2）の出力順以外を異常メダル検知として前記計数信号（CS）を出力しない」ことに相当する。
　前記のとおり、引用発明は「メダルの計数信号（CS）を出力」しているので、本件補正発明における「メダル信号出力装置（108）」に相当する構成を実質的に具備することは、自明である。
　前記のとおり、引用発明における「メダル選別装置」は、「前記第1光電センサ（100）からの出力（PE1）に次いで前記第2光電センサ（102）からの出力（PE2）の出力順以外を異常メダル検知として前記計数信号（CS）を出力しない」ので、異常検知を行っていると認められる。よって、引用発明における「メダル選別装置」は、本件補正発明における「ゲーム機の異常検知装置」に相当する。
　
　以上のことから、引用発明と本件補正発明は、
＜一致点＞
「メダル（M）の転動通路（210）に沿って形成した直径選別部（206）の下流に配置した複数のセンサ（222、100、102）からの信号に基づいて前記メダル（M）の通過を検知すると共に前記センサ（222、100、102）の上流にキャンセル装置（220）を配置したメダルセレクタ（200）を有し、
　前記キャンセル装置（220）の下流に前記メダル（M）の一部に相対する金属センサ（222）を配置し、前記金属センサ（222）の下流に前記メダル（M）の一部に相対すると共に前記転動通路（210）に対して上流側に配置された第1光電センサ（100）と下流側に隣接配置された第2光電センサ（102）を配置し、
　前記金属センサ（222）、前記第1光電センサ（100）、及び前記第2光電センサ（102）の出力に基づいて異常を検知するゲーム機の異常検知装置において、
　前記メダルセレクタ（200）による前記メダル（M）の計数モード時に前記第1光電センサ（100）の出力（PE1）に続いて前記第2光電センサ（102）の出力（PE2）が出力された場合にメダルの計数信号（CS）を出力し、
　前記第1光電センサ（100）からの出力（PE1）に次いで前記第2光電センサ（102）からの出力（PE2）の出力順以外を異常メダル検知として前記計数信号（CS）を出力しない、
　メダル信号出力装置（108）を有するゲーム機の異常検知装置。」
　である点で一致し、以下の点で相違している。
　
＜相違点１＞
　本件補正発明が、「金属センサ（222）」の「直ぐ」下流に「第1光電センサ（100）」及び「第2光電センサ（102）」を配置しているのに対し、
　引用発明は、「近接センサ１０」の下流に「光センサ１１ａ，１１ｂ」を配置しているものの、「直ぐ」下流かは不明である点。
　
＜相違点２＞
　複数のセンサの配置とメダルとの位置関係について、
　本件補正発明は、「前記金属センサ（222）」が「メダル（M）の中心よりも下端部に相対して配置され」、「前記第1光電センサ（100）及び前記第2光電センサ（102）」が「メダル（M）の中心よりも上端部に相対して配置され」ているのに対し、
　引用発明における複数のセンサとメダルとの位置関係は明らかでない点。
　
＜相違点３＞
　本件補正発明における「前記第1光電センサ（100）及び前記第2光電センサ（102）」が「角柱状であってほぼ水平に配置した横梁部（232）、前記横梁部（232）から下方に向かって所定の間隔で平行に突出する柱状の投光部保持部（234）及び受光部保持部（236）により構成され、前記投光部保持部（234）及び前記受光部保持部（236）は前記転動通路（210）を挟んで対向配置される」のに対し、
　引用発明における「光センサ１１ａ，１１ｂ」の構成は明らかでない点。
　
＜相違点４＞
　本件補正発明が、
「金属センサ（222）からの検知信号（MS）が連続している間」に「前記第1光電センサ（100）の出力（PE1）に続いて前記第2光電センサ（102）の出力（PE2）が出力された場合にメダルの計数信号（CS）を出力し」、
「金属センサ（222）からの検知信号（MS）が連続している間」に「前記第1光電センサ（100）からの出力（PE1）に次いで前記第2光電センサ（102）からの出力（PE2）の出力順以外を異常メダル検知として前記計数信号（CS）を出力しな」いのに対し、
　引用発明は、「光センサ１１ａ，１１ｂが順にＯＮになったなら、メダルＭが通過したとみなし、メダルＭのクレジット表示部１６のクレジット数を（＋１）加算するとともに、クレジット表示部１６の表示を変更するように出力」するものの、「近接センサ１０がＯＮ」であることが連続している間との関係は明らかでない点。
　
(3-4) 判断
＜相違点１、４＞について
　相違点１、４については合わせて判断する。
　特開２００３−１７５１６１号公報（以下「引用文献２」という。【０００２】〜【０００３】、【００１５】〜【００１７】、【００３２】〜【００３３】、図６等参照。）には、
　パチンコ遊技機等に代表される弾球遊技機（本件補正発明における「ゲーム機」に相当。以下同様。）において、球の入賞や通過を検出するための検出器に対する不正行為を防止するために、
　球Ｐとの磁気的相互作用により球Ｐを検出するセンサ１１０（「金属センサ」に相当）で構成される第１検出器１０ａであって、球Ｐの通過によりオン信号６１ａを出力するものと、球を光学的に検出するフォトセンサ２１０（「光電センサ」に相当）で構成された第２検出器１０ｂであって、球Ｐの通過によりオフ信号６２ｂを出力するものとを、第２検出器が下流となるように重ねて貼り合わせ、
　第１検出器１０ａの出力信号６１ａと、第２検出器１０ｂの出力信号６２ｂのＮＯＴ値（反転値）との論理積（ＡＮＤ）を演算することにより、球Ｐの検出を示す正規なオン信号６３ａのみを出力する技術、
　が記載されている。
　また、引用文献２に記載された技術においては、
　第２検出器１０ｂは、球Ｐの通過により第１検出器１０ａの出力信号６１ａが連続している間に第２検出器１０ｂのオフ信号６２ｂが出力される程度に、第１検出器１０ａの直ぐ下流に配置されており、
　前記球Ｐの検出を示す正規なオン信号６３ａは、第１検出器１０ａの出力信号６１ａが連続している間に第２検出器１０ｂのオフ信号６２ｂが出力された場合のみ出力している、と認められる。
　したがって、引用文献２記載された技術は、金属センサの直ぐ下流に光電センサを配置し、金属センサからの検知信号が連続している間に光電センサの出力が出力された場合にオン信号を出力し、他の場合にはオン信号を出力しない技術、であると認められる。
　
　引用発明と引用文献２に記載された技術とは、検出する対象となる物体がメダルであるか球であるかという点で相違するものの、金属センサ及び光電センサを用いることによりゲーム機で使用される物体の不正な検出を防ぐ技術である点で共通するので、
　引用発明における「近接センサ１０」及び「光センサ１１ａ，１１ｂ」の配置、並びに「光センサ１１ａ，１１ｂが順にＯＮになったなら、メダルが通過したとみな」す処理であって「光センサ１１ａ，１１ｂが交互にＯＮになるが近接センサ１０はＯＮにならない場合は異常であると判定し、以後、メダルクレジット数が上がらない」処理に、引用文献２に記載された技術を適用して、相違点１、４に係る本件補正発明の構成とすることは、当業者が容易に想到しうるものである。
　
＜相違点２＞について
　特開２０００−３２５５４９号公報（以下「引用文献３」という。【０１１４】、図９等参照。）には、センサをメダルの中心よりも上端部及び下端部に配置する技術が記載されている。
　また、引用文献３のほか、特開２００３−５２９０２号公報（【００２４】、図３等参照。）、特開２００３−１２６３４１号公報（【０１３７】〜【０１３８】、図７等参照。）、特開２００４−２２９９８１号公報（【００８３】〜【００８４】、図７等参照。）にも開示されているように、フォトセンサや近接センサからなるセンサをメダルの中心よりも上端部及び下端部に配置する技術は周知である。（以下「周知技術」という。）
　よって、引用発明の各センサに、引用文献３に記載された技術又は周知技術を適用して、相違点２に係る本件補正発明の構成とすることは、当業者が容易に想到しうるものである。
　また、その際に奏される効果も予測しうる程度のものである。
（例えば、平成２４年２月６日付け回答書等には、相違点２に係る本件補正発明の構成により所定の効果が奏される旨記載されているが、
　対象となるメダルの大きさを変更可能とする点、当該変更可能とするために異常検知装置内の直径選別部（206）の構成や各センサの位置等を調整可能とする点、各センサの特性を前記回答書に記載された程度のものとする点等は、本件補正後の請求項１、並びに明細書、特許請求の範囲及び図面には、記載も示唆もされていないので、
　前記効果は、本件補正発明の効果としては採用できない。）
　
＜相違点３＞について
　特開２００３−２７５３８２号公報（以下「引用文献４」という。【０００２】〜【０００３】、図１４等参照。）には、コ型フレーム１４２に投受光素子を取付けた透過型の光電検知センサ１４３の技術が記載されている。
　前記コ型フレーム１４２は、本件補正発明における「ほぼ水平に配置した横梁部（232）、前記横梁部（232）から下方に向かって所定の間隔で平行に突出する柱状の投光部保持部（234）及び受光部保持部（236）」に相当する。前記コ型フレーム１４２が「角柱状」か否かは不明であるが、これを「角柱状」と認められる程度の形状とすることは、当業者が適宜なしうるものである。
　よって、引用発明の「光センサ１１ａ，１１ｂ」に、引用文献４に記載された技術を適用して、相違点３に係る本件補正発明の構成とすることは、当業者が容易に想到しうるものである。
　
(3-5) 特許性についての検討のまとめ
　よって、本件補正発明は、引用発明、引用文献２〜４に記載された技術及び周知技術に基づいて、当業者が容易に発明をすることができたものであるから、
　本件補正発明は、特許法第２９条第２項の規定により、特許出願の際独立して特許を受けることができるものではない。
　
　
(4) むすび
　したがって、本件補正は、改正前特許法第１７条の２第５項において準用する同法第１２６条第５項の規定に違反するものであり、同法１５９条第１項において読み替えて準用する同法５３条第１項の規定により却下されるべきものである。
　
　
３．本願発明について
(1) 本願発明
　平成２３年９月１日付けの手続補正は前記のとおり却下されたので、本出願に係る発明は、平成２３年２月２日付け手続補正書で補正された特許請求の範囲により特定されるとおりのものである。
　また、その請求項１に係る発明（以下「本願発明」という。）は、本件補正発明と同様に明確でないので、本件補正発明と同様に次のように認める。（２．(3-1) で前記した点を参照。）
・「複数のセンサ(22
0
2
・「第1光電センサ(100)からの出力(PE
2
1
1
2
・本願発明を、「メダルセレクタ（200）」を有する「ゲーム機の異常検知装置」であると認める。
　
　よって、本願発明は次のとおりである。
「メダル（M）の転動通路（210）に沿って形成した直径選別部（206）の下流に配置した複数のセンサ(22
2
2
を有し
前記キャンセル装置(220)の下流に前記メダル(M)の一部に相対する金属センサ（222）を配置し、前記金属センサ（222）の直ぐ下流に前記メダル(M)の一部に相対すると共に前記転動通路(210)に対して上流側に配置された第1光電センサ(100)と下流側に配置された第2光電センサ(102)を配置し、前記金属センサ（222）、前記第1光電センサ（100）、及び前記第2光電センサ(102）の出力に基づいて異常を検知するゲーム機
の異常検知装置
前記金属センサ(222)は前記転動通路(210)を転動するメダル(M)の下端部に相対して配置され、前記第1光電センサ(100)及び前記第2光電センサ(102)は前記メダル(M)の上端部に相対して配置され、
前記セレクタ（200）による前記メダル(M)の計数モード時に前記金属センサ（222）からの検知信号(MS)が連続している間に前記第1光電センサ(100)の出力(PE1)に続いて前記第2光電センサ(102)の出力(PE2)が出力された場合にメダルの計数信号(CS)を出力し、前記金属センサ（222）からの検知信号(MS)がないときは前記第1光電センサ(100)からの出力(PE
1
2
　
(2) 引用文献に記載されている事項及び周知技術
　引用文献１に記載された発明である引用発明、引用文献２〜４に記載された技術、及び周知技術については、２．(3) で前記したとおりである。
　
(3) 対比・判断
　本願発明（補正前の請求項１に係る発明）は、前記２．で検討した本件補正発明（補正後の請求項１に係る発明）から、
・「第2光電センサ(102)」の配置が「隣接」配置である点、
・各センサが、メダル(M)の「中心よりも」上端部又は下端部に配置される点、
・「前記第1光電センサ(100)及び前記第2光電センサ(102)」が「角柱状であってほぼ水平に配置した横梁部（232）、前記横梁部（232）から下方に向かって所定の間隔で平行に突出する柱状の投光部保持部(234)及び受光部保持部（236）により構成され、前記投光部保持部（234）及び前記受光部保持部（236）は前記転動通路（210）を挟んで対向配置される」ように構成されている点、
　を削除し、
・「メダル信号出力装置(108)」が「計数信号(CS)」を出力しない条件について、「前記金属センサ（222）からの検知信号（MS）が連続している間に、前記第1光電センサ（100）からの出力（PE1）に次いで前記第2光電センサ（102）からの出力（PE2）の出力順以外を異常メダル検知として前記計数信号（CS）を出力しない」から「前記金属センサ（222）からの検知信号(MS)がないときは前記第1光電センサ(100)からの出力(PE2)及び前記第2光電センサ(102)からの出力(PE1)を前記計数信号(CS)としない」とし、
・「前記メダルセレクタ（200）」を「前記セレクタ（200）」と表現した
　ものである。
　
　そうすると、
　２．(3) で前記したとおり、本願発明の構成要件を全て含み、さらに他の構成要件を付加したものに相当する本件補正発明は、引用発明及び周知技術に基づいて、当業者が容易に発明をすることができたものであるから、
　本願発明も、本件補正発明についての理由と同様の理由により、引用発明、引用文献２〜４に記載された技術及び周知技術に基づいて、当業者が容易に発明をすることができたものである。
　
(4) むすび
　以上のとおり、本願発明は、引用発明、引用文献２〜４に記載された技術及び周知技術に基づいて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。